(57)【要約】【課題】清掃や交換の必要なフィルター名および種別を音声で報知し、使用者にわかり易く認識させることができる空気清浄機を提供することを目的とする。【解決手段】通風路４に設けた送風ファン５および複数のフィルターからなるフィルター部９と、送風ファン５の運転時間に基づき個々のフィルターの汚れ度合を計算して掃除時期または交換時期を決定する制御手段１０および報知する音声ガイド手段１１とを備え、制御手段１０はフィルターの１つが掃除時期または交換時期になったときに、掃除または交換すべきフィルターの固有情報を音声ガイド手段１１により報知することにより、清掃や交換の必要なフィルターを分かり易く使用者に認識させることができる空気清浄機が得られる。【選択図】図１
2008000674.tif 000002
【特許請求の範囲】
【請求項１】
本体内部の通風路に設けた送風ファンおよび複数のフィルターからなるフィルター部と、前記送風ファンの運転時間に基づき個々のフィルターの汚れ基準値と比較して掃除時期または交換時期を決定する制御手段と、前記フィルター掃除時期または交換時期を報知する音声ガイド手段とを備え、前記制御手段は前記フィルターの１つが掃除時期または交換時期になったときに、掃除または交換すべきフィルターの固有情報を音声ガイド手段により報知する構成とした空気清浄機。
【請求項２】
音声ガイド手段により報知する固有情報を、掃除または交換すべきフィルターのフィルター名またはフィルター種別とした請求項１記載の空気清浄機。
【請求項３】
音声ガイド手段により報知する固有情報を、掃除すべきフィルターが掃除時期となった場合には、前記掃除すべきフィルターの掃除方法とした請求項１または２記載の空気清浄機。
【請求項４】
音声ガイド手段により報知する固有情報を、交換すべきフィルターが交換時期となった場合には、前記交換すべきフィルターの部品番号とした請求項１または２記載の空気清浄機。
【請求項５】
本体表面に各々のフィルターに対応する複数の表示ＬＥＤを設け、制御手段は、音声ガイドにより掃除または交換すべきフィルターの固有情報を報知するとともに、このフィルターに対応した表示ＬＥＤを点灯する構成とした請求項１記載の空気清浄機。
【請求項６】
制御手段が記録した運転時間をリセットするリセットスイッチを設け、制御手段は、フィルターの固有情報を音声ガイド手段により報知するときには、前記リセットを操作すべきことを同時に報知する構成とした請求項１記載の空気清浄機。
【請求項７】
リセットスイッチの操作方法を合せて報知する構成とした請求項６記載の空気清浄機。  
【請求項８】
音声ガイド手段の報知から一定の運転時間後に、報知されたフィルターが掃除または交換されない場合は、制御手段は強制的に送風ファンの運転を休止するとともに、前記音声ガイド手段により、前記フィルターの掃除または交換を促す報知を行う構成とした請求項１記載の空気清浄機。
【請求項９】
報知されたフィルターが掃除または交換され、かつ、リセットスイッチが操作された場合は、制御手段は音声ガイド手段により運転再開が可能なことを報知する構成とした請求項１記載の空気清浄機。
【請求項１０】
制御手段が記録した運転時間をリセットするリセットスイッチを設け、表示ＬＥＤが複数点灯しているときに、前記リセットスイッチを操作することで、前記点灯中の表示ＬＥＤに対応して記録された運転時間をリセットする構成とした請求項５または６記載の空気清浄機。
【請求項１１】
制御手段が記録した運転時間をリセットするリセットスイッチを設け、表示ＬＥＤが点灯していないときには、前記リセットスイッチを操作しても記録した運転時間をリセット不能とするとともに、音声ガイド手段により操作が不能であることを報知する構成とした請求項５または６記載の空気清浄機。
【発明の詳細な説明】
【技術分野】
【０００１】
本発明は、音声により掃除または交換の必要なフィルター名などの個別情報を報知することのできる空気清浄機に関する。
【背景技術】
【０００２】
従来、この種の空気清浄機の一例として、エアフィルタの交換時期を判断できる空気清浄装置が知られている（例えば、特許文献１参照）。
【０００３】
以下、その空気清浄機について図１５および図１６を参照しながら説明する。
【０００４】
図に示すように、制御ユニット１０１には、電源部１０２およびモータ制御部１０３が設けられ、セフティスイッチ１０４を介してＡＣプラグ１０５に接続され、交換パネル１０６の電源スイッチ１０７が押されると電源部１０２からは制御手段としてのマイコン１０８およびＬＥＤ１０９に電圧が供給され、マイコンの１０８はエアフィルタ１１０の使用時間を計測し、マイコン１０８はシロッコファン１１１の運転時間をメモリ１１２に記憶させ、積算使用時間を一定の書き込み時期で新しい値に書き換え、マイコン１０８はエアフィルタ１１０の積算使用時間が予め設定されているしきい値を超えると液晶表示器１１３を用いてエアフィルタ１１０が寿命であることをユーザに対し表示させるように構成している。
【特許文献１】特開２０００−２７９７３５号公報（［００４４］［００５４］図１、図６）
【発明の開示】
【発明が解決しようとする課題】
【０００５】
このような従来の空気清浄機では、複数のフィルターを設けている場合は、いずれかのフィルターが清掃する時期になったときに、フィルター名や清掃方法などを使用者に直接知らせることができないという課題があり、フィルター別に異なる情報を使用者に分かり易く知らせることが要求されている。
【０００６】
また、お手入れ時期の異なるフィルターに対して、各フィルター毎に適切なタイミングでお手入れ方法などを報知できないという課題があり、適正な時期にフィルター別の固有情報を報知することが要求されている。
【０００７】
本発明は、このような従来の課題を解決するものであり、清掃や交換の必要なフィルター名やお手入れ方法を音声で放置し、使用者にわかり易く認識させることのできる空気清浄機を提供することを目的としている。
【課題を解決するための手段】
【０００８】
本発明の空気清浄機は上記目的を達成するために、本体内部の通風路に設けた送風ファンの運転時間に基づき個々のフィルターの汚れ度合を計算して掃除時期または交換時期を決定する制御手段と、前記フィルターの掃除時期または交換時期を報知する音声ガイド手段とを備え、前記制御手段は前記フィルターの１つが掃除時期または交換時期なったときに、掃除または交換すべきフィルターの固有情報を音声ガイド手段により報知する構成としたものである。
【０００９】
また、他の手段は、音声ガイド手段により報知する固有情報を、掃除または交換すべきフィルターのフィルター名またはフィルター種別としたものである。
【００１０】
この手段により、掃除や交換の必要なフィルター名および種別などの固有情報を音声で報知し、使用者にわかり易く認識させることのできる空気清浄機が得られる。
【００１１】
また、他の手段は、音声ガイド手段により報知する固有情報を、掃除すべきフィルターが掃除時期となった場合には、前記掃除すべきフィルターの掃除方法としたものである。
【００１２】
この手段により、使用者にフィルターの適切なお手入れを、促すことができ、フィルターの効果を十分発揮させることができる空気清浄機が得られる。
【００１３】
また、他の手段は、音声ガイド手段により報知する固有情報を、交換すべきフィルターが交換時期となった場合には、前記交換すべきフィルターの部品番号としたものである。
【００１４】
この手段により、使用者が手間をかけずに確実に交換用フィルターの品番を知ることができる空気清浄機が得られる。
【００１５】
また、他の手段は、本体表面に各々のフィルターに対応する複数の表示ＬＥＤを設け、制御手段は、音声ガイド手段により掃除または交換すべきフィルターの固有情報を報知するとともに、このフィルターに対応した表示ＬＥＤを点灯する構成としたものである。
【００１６】
この手段により、使用者にお手入れすべきフィルターを正しく認知させることができる空気清浄機が得られる。
【００１７】
また、他の手段は、制御手段が記録した運転時間をリセットするリセットスイッチを設け、制御手段は、フィルターの固有情報を音声ガイド手段により報知するときには、前記リセットスイッチを操作すべきことを同時に報知する構成としたものである。
【００１８】
この手段により、使用者に事前に伝えてリセットスイッチを押すべきことを促すことができる空気清浄機が得られる。
【００１９】
また、他の手段は、リセットスイッチの操作方法を合せて報知する構成としたものである。
【００２０】
この手段により、使用者は容易に理解して速やかにリセットスイッチを操作することができる空気清浄機が得られる。
【００２１】
また、他の手段は、音声ガイド手段の報知から一定の運転時間後に、報知されたフィルターが掃除または交換されない場合は、制御手段は、強制的に送風ファンの運転を休止するとともに、前記音声ガイド手段により、前記フィルターの掃除または交換を促す報知を行う構成としたものである。
【００２２】
この手段により、運転停止の理由を使用者に伝えることができ、フィルターのお手入れを促すことができる空気清浄機が得られる。
【００２３】
また、他の手段は、報知されたフィルターが掃除または交換され、かつリセットスイッチが操作された場合は、制御手段は、音声ガイド手段により運転再開が可能なことを報知する構成としたものである。
【００２４】
この手段により、使用者にとってフィルターのお手入れが完了したことを確認できるとともに、安心して運転を再開することができる空気清浄機が得られる。
【００２５】
また、他の手段は、制御手段が記録した運転時間をリセットするリセットスイッチを設け、ＬＥＤ表示部が複数点灯しているときに、前記リセットスイッチを操作することで、前記点灯中のＬＥＤ表示部に対応して記録された運転時間をリセットする構成としたものである。
【００２６】
この手段により、リセットスイッチに掛かるコストを低減することができるとともに、リセットスイッチの設置スペースを小さくすることができる空気清浄機が得られる。
【００２７】
また、他の手段は、制御手段が記録した運転時間をリセットするリセットスイッチを設け、ＬＥＤ表示部が点灯していないときには、前記リセットスイッチを操作しても記録した運転時間をリセット不能とするとともに、音声ガイド手段により操作が不能であることを報知する構成としたものである。
【００２８】
この手段により、使用者にリセットスイッチの正しい操作方法を伝えることができる空気清浄機が得られる。
【発明の効果】
【００２９】
本発明によれば清掃や交換の必要なフィルター名および種別を音声で報知し使用者に分かり易く認識させることができるという効果のある空気清浄機を提供できる。
【００３０】
また、使用者にフィルターの適切なお手入れを、確実に促すことができ、フィルターの効果を十分に発揮させることができるという効果のある空気清浄機を提供できる。
【００３１】
また、使用者が手間をかけずに確実に交換用フィルターの品番を知ることができるという効果のある空気清浄機を提供できる。
【００３２】
また、使用者に確実に、お手入れすべきフィルターを認知させることができるという効果のある空気清浄機を提供できる。
【００３３】
また、使用者に事前に伝えてリセットスイッチを押すべきことを促すことができるという効果のある空気清浄機を提供できる。
【００３４】
また、使用者は容易に理解して速やかにリセットスイッチを操作することができるという効果のある空気清浄機を提供できる。
【００３５】
また、運転停止の理由を使用者に伝えることができ、フィルターのお手入れを促すことができるという効果のある空気清浄機を提供できる。
【００３６】
また、使用者にとってフィルターのお手入れが完了したことを確認できるとともに、安心して運転を再開できるという効果のある空気清浄機を提供できる。
【００３７】
また、リセットスイッチに掛かるコストを低減することができるという効果のある空気清浄機提供できる。
【００３８】
また、使用者にリセットスイッチの正しい操作方法を伝えることができるという効果のある空気清浄機を提供できる。
【発明を実施するための最良の形態】
【００３９】
本発明の請求項１記載の発明は、本体内部の通風路に設けた送風ファンおよび複数のフィルターからなるフィルター部と、前記送風ファンの運転時間に基づき個々のフィルターの汚れ度合を計算して掃除時期または交換時期を決定する制御手段と、前記フィルターの掃除時期または交換時期を報知する音声ガイド手段とを備え、前記制御手段は前記フィルターの１つが掃除時期または交換時期になったときに、掃除または交換すべきフィルターの固有情報を音声ガイド手段により報知する構成としたものであり、通常空気清浄機には機能別にフィルターが複雑収納されているが、掃除時期などがフィルターによって異なるため、使用者がフィルターを間違って掃除してしまうことがあったのに対し、音声ガイド手段で掃除または交換が必要なフィルター名などの個別情報を報知することにより、使用者に、確実かつ簡単に、該当するフィルターを認識させることができるという作用を有する。
【００４０】
また、請求項２記載の発明は、音声ガイド手段により報知する固有情報を掃除または交換すべきフィルターのフィルター名またはフィルター種別としたものであり、フィルターの個別情報としてプリフィルター、集じんフィルター、脱臭フィルターなどのフィルター名やフィルター種別を音声で報知することにより、使用者に分かり易く認識させることができるという作用を有する。
【００４１】
また、請求項３記載の発明は、音声ガイド手段により報知する固有情報を、掃除すべきフィルターが掃除時期となった場合には、前記掃除すべきフィルターの掃除方法としたものであり、プリフィルターは表面に付着した大きなほこりを掃除機などで取り除き、集塵フィルターは漬け置き洗浄して細かい塵埃を洗い流すという掃除方法を、音声ガイド手段で案内することにより、使用者にフィルターの適切なお手入れを、確実に促すことができ、フィルターの清浄能力を十分に発揮させることができるという作用を有する。
【００４２】
また、請求項４記載の発明は、音声ガイド手段により報知する固有情報を、交換すべきフィルターが交換時期となった場合には、前記交換すべきフィルターの部品番号としたものであり、交換する必要のある脱臭フィルターのフィルター品番を入手するには、取扱説明書などで交換用フィルターの品番を使用者が調べて注文することになるが、製品本体の品番と異なる場合や、また、交換すべきフィルターが複数個ある場合は、使用者が交換フィルターの品番を間違えることがあり、音声ガイド手段で交換用フィルターの品番を報知して案内することで、使用者が手間をかけずに確実に交換用フィルターの品番を知ることができるという作用を有する。
【００４３】
また、請求項５記載の発明は、本体表面に各々のフィルターに対応する複数の表示ＬＥＤを設け、制御手段は、音声ガイド手段により掃除または交換すべきフィルターの固有情報を報知するとともに、このフィルターに対応した表示ＬＥＤを点灯する構成としたものであり、使用者が音声ガイド手段の報知された情報を、確認して処理をする場合があるが、音声ガイド手段の報知に加え、複数の表示ＬＥＤにおいて、お手入れが必要なフィルターに対応した表示ＬＥＤを点灯表示することで、使用者に確実にお手入れすべきフィルターを認知させることができるという作用を有する。
【００４４】
また、請求項６記載の発明は、制御手段が記録した運転時間をリセットするリセットスイッチを設け、制御手段は、フィルターの固有情報を音声ガイド手段により報知するときには、前記リセットスイッチを操作すべきことを同時に報知する構成としたものであり、お手入れしたフィルターの運転時間を新たに計測するためには、制御手段が記録した過去の運転時間をゼロにクリアして、最初からフィルターの運転時間を計算させなければならず、使用者にリセットスイッチを押してもらう必要があり、その旨を使用者に伝えなければならないが、音声ガイド手段で、フィルターが掃除または交換すべき時期になったことを報知するとともに、お手入れ後にリセットスイッチを押す必要があることを同時に報知することにより、使用者に事前に伝えてリセットスイッチを押すべきことを促すことができるという作用を有する。
【００４５】
また、請求項７記載の発明は、リセットスイッチの操作方法を合わせて報知する構成としたものであり、制御手段の記録した運転時間をリセットするためのリセットスイッチは、フィルターをお手入れしたとき以外は押してはならないため、通常のボタン操作ではリセットスイッチを操作することのできない構成としているが、使用者はリセットスイッチを押すための方法を、取扱説明書を見て認識する必要があり、不便であるが、音声ガイド手段でリセットスイッチを押す方法を報知することで、不慣れな使用者にとっても容易に理解して速やかにリセットスイッチを操作できるという作用を有する。
【００４６】
また、請求項８記載の発明は、音声ガイド手段の報知から一定の運転時間後に、報知されたフィルターが掃除または交換されない場合は、制御手段は強制的に送風ファンの運転を休止するとともに、前記音声ガイド手段により前記フィルターの掃除または交換を促す報知を行う構成としたものであり、フィルターのお手入れが必要となった場合は、空気清浄機の機能が低下した状態となっており、空気清浄の能力を充分に発揮できないが、空気清浄機の運転を強制的に停止させることにより、性能が低下したままの状態での使用を防止するとともに、音声ガイド手段により空気清浄機の運転ができないことを報知することで、運転停止の理由を使用者に伝えることができ、フィルターのお手入れを促すことができるという作用を有する。
【００４７】
また、請求項９記載の発明は、報知されたフィルターが掃除または交換され、かつ、リセットスイッチが操作された場合は、制御手段は音声ガイド手段により運転再開が可能なことを報知する構成としたものであり、リセットスイッチを押すと、制御手段に記録した運転時間がリセットされ、運転が再開できるようになるが、音声ガイド手段で、運転が再開できる状態となったことを案内することで、使用者にとってフィルターのお手入れが完了したことを確認できるとともに、安心して運転を再開できるという作用を有する。
【００４８】
また、請求項１０記載の発明は、制御手段が記録した運転時間をリセットするリセットスイッチを設け、表示ＬＥＤが複数点灯しているときに、前記リセットスイッチを操作することで、前記点灯中の表示ＬＥＤに対応して記録された運転時間をリセットする構成としたものであり、フィルター毎にリセットスイッチを設けた場合は、フィルターの枚数分のリセットスイッチが必要となり、製造コストが高くなり、さらに複数個のリセットスイッチを設置するためのスペースを本体内部に設ける必要があり、部品点数が増えて操作性も悪くなるものであるが、１つのリセットスイッチで同時に複数個のフィルターに対応して記録した運転時間をリセットさせることで、リセットスイッチのコストを低減してリセットスイッチの設置スペースを小さくすることができ、操作性も良くなるという作用を有する。
【００４９】
また、請求項１１に記載の発明は、制御手段が記録した運転時間をリセットするリセットスイッチを設け、表示ＬＥＤが点灯していないときには、前記リセットスイッチを操作しても記録した運転時間をリセット不能とするとともに、音声ガイド手段により操作が不能であることを報知する構成としたものであり、フィルターのお手入れ時期に至らない（表示ＬＥＤが点灯していない）状態で記録している運転時間をリセットすると、フィルターのお手入れ時期に狂いが生じてしまう。このためリセットスイッチは、表示ＬＥＤが点灯した場合のみ動作するように設定しているが、使用者が表示ＬＥＤが点灯していない状態でリセットスイッチを押した場合、音声ガイド手段により、リセットスイッチを操作してもリセットできないこと、および、リセットスイッチを押すための正しい操作時期を報知することで、使用者にリセットスイッチの正しい操作方法を伝えることができるという作用を有する。
【００５０】
以下、本発明の実施の形態について図面を参照しながら説明する。
【００５１】
（実施の形態１）
図１〜図１４に示すように、本体１の吸気口２から吐出口３に至る通風路４に送風ファン５およびフィルター部９を設け、フィルター部９は掃除すべきフィルターとなるプリフィルター６および集塵フィルター７と、交換すべきフィルターとなる脱臭フィルター８とからなる。制御手段１０は内蔵するタイマーで送風ファン５の運転時間を計測するとともにメモリーに記録し、プリフィルター６または集塵フィルター７または脱臭フィルター８の個々のフィルターの汚れを基準時間との比較により、各々のフィルターの掃除時間または交換時期を決定する。制御手段１０はプリフィルター６および集塵フィルター７の掃除時期または脱臭フィルター８の交換時期になったときに、掃除または交換すべきフィルター固有情報を音声ガイド手段１１により報知するように設ける。
【００５２】
また、音声ガイド手段１１により報知する固有情報を、掃除または交換すべきフィルターのフィルター名またはフィルター種別とし、掃除すべき、プリフィルター６および集塵フィルター７が掃除時期となった場合には、掃除すべきプリフィルター６および集塵フィルター７の掃除方法とし、交換すべき脱臭フィルター８が交換時期となった場合には、交換すべき脱臭フィルター８の部品番号とするように設ける。
【００５３】
また、本体１の上面に設けられる操作パネル１２には、スイッチ操作用のスイッチボタン１２ａ〜１２ｆと表示ＬＥＤ１３を備え、表示ＬＥＤ１３はプレフィルター６のお手入れ時期に点灯するＬＥＤａ１４と、集塵フィルター７のお手入れ時期に点灯するＬＥＤｂ１５と、脱臭フィルター８のお手入れ時期に点灯するＬＥＤｃ１６から構成されている。制御手段１０は音声ガイド手段１１により、掃除または交換すべきプリフィルター６または集塵フィルター７または脱臭フィルター８の固有情報を報知するとともに、同時に各フィルターに対応した表示ＬＥＤ１３を点灯するように設ける。
【００５４】
また、制御手段１０が記録した運転時間をリセットするリセットスイッチ１７を設け、制御手段１０は、プリフィルター６または集塵フィルター７または脱臭フィルター８の固有情報を音声ガイド手段１１により報知するときには、リセットスイッチ１７を操作すべきことを同時に報知するように設け、また、リセットスイッチ１７の操作方法を合せて報知するように設ける。
【００５５】
また、音声ガイド手段１１の報知から一定の運転時間後に該当するプリフィルター６または集塵フィルター７または脱臭フィルター８が掃除または交換されない場合は、制御手段１０は、強制的に送風ファン５の運転を休止するとともに、音声ガイド手段１１により、該当するプリフィルター６または集塵フィルター７または脱臭フィルター８の掃除または交換を促す報知を行うように設ける。
【００５６】
また、報知されたプリフィルター６または集塵フィルター７または脱臭フィルター８が掃除または交換され、かつ、リセットスイッチ１７が操作された場合は、制御手段１０は、音声ガイド手段１１により運転再開が可能なことを報知するように設ける。
【００５７】
また、制御手段１０がメモリーに記録した運転時間をリセットするリセットスイッチ１７を設け、表示ＬＥＤ１３が複数点灯しているときに、リセットスイッチ１７を操作することで、点灯中の表示ＬＥＤ１３に対応している記録された運転時間をリセットスイッチ１７によりセットするように設ける。
【００５８】
また、制御手段１０のメモリに記録した運転時間をリセットするリセットスイッチ１７を設け、表示ＬＥＤ１３が点灯していないときには、リセットスイッチ１７を操作しても記録した運転時間をリセット不能とするとともに、音声ガイド手段により操作が不能であることを報知するように設ける。
【００５９】
また、本体１の上部にリセットスイッチ１７を操作するリセットスイッチ操作孔１７ａを設け、爪楊枝１７ｂを挿入してリセットスイッチ１７を操作するように構成する。
【００６０】
上記構成において、スイッチボタン１２ａ〜１２ｅにより空気清浄機を運転すると、送風ファン５が駆動し、吸気口２から吸気された塵埃を含む空気は、プリフィルター６により大きな塵埃が除去され、集塵フィルター７により小さな塵埃が集塵され、脱臭フィルター８により臭気が除去され、新鮮になった空気が吐出口３より放出されて空気の清浄が行われる。
【００６１】
次に、プリフィルター６と集塵フィルター７および脱臭フィルター８をフィルターｘ（ｘ＝１，２，３）として、フィルターｘのお手入れ状態の動作について図１０のフローチャートに基づいて説明する。
【００６２】
まず、運転を開始すると、ステップ１８で、制御手段１０により運転時間ｔｘが積算され、ステップ１９で運転時間ｔｘが所定時間に達しているかを判断し、ＹＥＳの場合は、ステップ２０で表示ＬＥＤ１３を点灯し、フィルターｘの固有情報を音声ガイド手段１１で報知する。本実施の形態ではステップ２１でフィルターｘのお手入れを実施したかどうかは使用者が判断し、ＹＥＳの場合は、ステップ２２でリセットスイッチ１７を使用者が押すことにより、ステップ２３で表示ＬＥＤ１３を消灯し、フィルターｘの運転時間ｔｘ＝０とし、ステップ２４で音声ガイド手段１１により「フィルターｘのお手入れが完了しました、運転ができます」と報知され、ステップ２５で運転ＳＷがＯＮされると運転が開始される。
【００６３】
また、ステップ１９でＮＯと判断された場合はステップ１８に戻る。ステップ２１でフィルターｘのお手入れをしない場合は、ステップ２６で一定時間後に強制的に運転を停止し、ステップ２７で音声ガイド手段１１により、運転停止を報知する。またステップ２２でリセットスイッチ１７が押されない場合は、ステップ２８で運転ＳＷをＯＮしたときにステップ２０に戻るように運転する。
【００６４】
次に、プリフィルター６のお手入れが必要になったときの動作について図１１のフローチャートに基づいて説明する。
【００６５】
運転を開始すると、ステップ２９で制御手段１０により運転時間ｔ１が積算され、ステップ３０で運転時間ｔ１が所定時間に達しているかどうかを判断し、ＹＥＳの場合はステップ３１で表示ＬＥＤ１３のＬＥＤａ１４を点灯し、音声ガイド手段１１で音声ガイド１「プリフィルターのお手入れ時期です。プリフィルター表面の埃を掃除機で取り除いて下さい。お手入れ後は、爪楊枝などでリセットスイッチを押して下さい。」と報知する。ステップ３２でプリフィルター６のお手入れを実施した場合は、さらにステップ３３でリセットスイッチ１７を押すことにより、ステップ３４で表示ＬＥＤ１３のＬＥＤａ１４を消灯し、プリフィルター６の運転時間ｔ１＝０とし、ステップ３５で運転ＳＷをＯＮすると運転が開始される。
【００６６】
また、ステップ３２でプレフィルター６を使用者がお手入れしない場合は、ステップ３６で一定時間後に強制的に運転を停止し、ステップ３７で音声ガイド手段１１により「運転できません。集塵フィルターをお手入れしてください」と運転停止を報知し、ステップ３２に戻る。プリフィルターの掃除後にステップ３３でリセットスイッチ１７を押さなかった場合は、ステップ３８で運転ＳＷをＯＮしたときにステップ３１に戻り、リセットスイッチ１７を押すように促す動作を行う。
【００６７】
次に集塵フィルター７のお手入れが必要になったときの動作について図１２のフローチャートに基づいて説明する。
【００６８】
運転を開始すると、ステップ３９で制御手段１０により運転時間ｔ２が積算され、ステップ４０で運転時間ｔ２が所定時間に達しているかどうかを判断し、ＹＥＳの場合は、ステップ４１で表示ＬＥＤ１３のＬＥＤｂ１５を点灯し、音声ガイド手段１１で「集塵フィルターのお手入れ時期です。集塵フィルターは漬けおき洗いをして下さい。お手入れ後は爪楊枝などでリセットスイッチ１７を押してください」と報知する。ステップ４２で集塵フィルター７のお手入れを使用者が実施するとともに、ステップ４３でリセットスイッチ１７を押した場合は、ステップ４４で表示ＬＥＤ１３のＬＥＤｂ１５を消灯し、集塵フィルター７の運転時間ｔ２＝０とし、ステップ４５で運転スイッチをＯＮすると運転が開始される。
【００６９】
また、ステップ４２で集塵フィルター７のお手入れをしない場合はステップ４６で一定時間後、強制的に運転を停止し、ステップ４７で音声ガイド手段１１により、「運転できません。集塵フィルターをお手入れしてください」と報知して、集塵フィルター７のお手入れを使用者に促すことができる。使用者が集塵フィルター７の洗浄を行ない、本体に設置してリセットスイッチ１７を押すことで運転が再開できることとなる（ステップ４３〜４５）。
【００７０】
次に脱臭フィルター８のお手入れが必要になったときの動作について図１３のフローチャートに基づいて説明する。
【００７１】
運転を開始すると、ステップ４９で制御手段１０により運転時間ｔ３が積算され、ステップ５０で運転時間ｔ３が所定時間に達しているかどうかを判断し、ＹＥＳの場合は、ステップ５１で表示ＬＥＤ１３のＬＥＤｃ１６を点灯し、音声ガイド手段１１で「脱臭フィルターのお手入れ時期です。脱臭フィルターを交換して下さい。お手入れ後は、爪楊枝などでリセットスイッチを押して下さい」と報知する。ステップ５２で脱臭フィルター８を新しいものと交換するとともに、ステップ５３でリセットスイッチ１７を押すことにより、ステップ５４で表示ＬＥＤ１３のＬＥＤｃ１６が消灯し、脱臭フィルター８の運転時間ｔ３を０にして、ステップ５５で運転ＳＷがＯＮされ運転が開始される。
【００７２】
脱臭フィルター８を交換しないで放置した場合や、リセットスイッチ１７を押し忘れた場合は、プレフィルター６または集塵フィルター７のフローチャートで示した動作と同様となる。
【００７３】
次に、表示ＬＥＤ１３が点灯していないときにリセットスイッチ１７を操作した場合の動作について図１４のフローチャートに基づいて説明する。
【００７４】
運転を開始すると、ステップ５９で制御手段１０により運転時間が積算され、ステップ６０でフィルターｘの運転時間ｔが所定時間に達しているかどうかを判断し、ＹＥＳの場合は、ステップ６１で表示ＬＥＤ１３のＬＥＤｙが点灯し、音声ガイド手段１１でフィルターｘの固有情報を報知する。
【００７５】
ステップ６０で、ＮＯの場合には、ステップ６２でリセットスイッチ１７を押したかどうかを確認し、ＹＥＳの場合はステップ６３で音声ガイド手段１１により「フィルターのお手入れランプが点灯していませんので、リセットできません」と報知するように動作する。
【００７６】
このように、フィルターのお手入れ時期に至らない（表示ＬＥＤが点灯していない）状態では、記録している運転時間をリセットしないようにして、フィルターのお手入れ時期に狂いが生ないようにしている。すなわちリセットスイッチ１７は表示ＬＥＤ１３が点灯した場合のみ動作するように設定しているので、使用者が表示ＬＥＤ１３が点灯していない状態でリセットスイッチ１７を押した場合は、リセットスイッチ１７を操作してもリセットできないようにしている。また音声ガイド手段１１により、リセットスイッチ１７を押すための正しい操作時期を報知することになるので、使用者にリセットスイッチ１７の正しい操作方法を伝えることができるものである。
【産業上の利用可能性】
【００７７】
本発明にかかる空気清浄機は、清掃や交換の必要なフィルター名および種別を音声で報知し、使用者にわかり易く認識させることができるという効果を奏し、複数種類のフィルターが用いられるクリーンルーム、エアハンドリングユニット、エアコンなどの空調機器においても有用である。
【図面の簡単な説明】
【００７８】
【図１】本発明の実施の形態１の空気清浄機の横断面図
【図２】同空気清浄機の内部構成を示す部分図
【図３】同空気清浄機の斜視図
【図４】同空気清浄機の制御手段を示す部分斜視図
【図５】同空気清浄機の音声ガイド手段を示す部分斜視図
【図６】同空気清浄機の操作パネルの正面図
【図７】同空気清浄機の表示ＬＥＤを示す部分図
【図８】同空気清浄機のリセットスイッチの操作状態を示す断面図
【図９】同空気清浄機のブロック回路図
【図１０】同空気清浄機のフィルターのお手入れ動作を示すフローチャート
【図１１】同空気清浄機のプリフィルターのお手入れ動作を示すフローチャート
【図１２】同空気清浄機の集塵フィルターのお手入れ動作を示すフローチャート
【図１３】同空気清浄機の脱臭フィルターのお手入れ動作を示すフローチャート
【図１４】同空気清浄機の表示ＬＥＤの点灯していないときにリセットスイッチを操作した場合の動作を示すフローチャート
【図１５】従来の空気清浄装置の斜視図
【図１６】同空気清浄機の制御ユニットのブロック図
【符号の説明】
【００７９】
１    本体
４    通風路
５    送風ファン
６    プリフィルター
７    集塵フィルター
８    脱臭フィルター
９    フィルター部
１０  制御手段
１１  音声ガイド手段
１３  表示ＬＥＤ
１４  ＬＥＤａ
１５  ＬＥＤｂ
１６  ＬＥＤｃ
１７  リセットスイッチ
【図１】
2008000674.tif 000003
【図２】
2008000674.tif 000004
【図３】
2008000674.tif 000005
【図４】
2008000674.tif 000006
【図５】
2008000674.tif 000007
【図６】
2008000674.tif 000008
【図７】
2008000674.tif 000009
【図８】
2008000674.tif 000010
【図９】
2008000674.tif 000011
【図１０】
2008000674.tif 000012
【図１１】
2008000674.tif 000013
【図１２】
2008000674.tif 000014
【図１３】
2008000674.tif 000015
【図１４】
2008000674.tif 000016
【図１５】
2008000674.tif 000017
【図１６】
2008000674.tif 000018